(57)【特許請求の範囲】
【請求項１】
建物本体の正面、背面、両側面のうちの少なくとも一面を構成する外壁の左右略中央部の居室１０，１８部分に、開口部のない前面外壁２を有し、当該前面外壁２は内側に内壁２aを備えた二重壁構造になっており、この前面外壁２の両側部に設けられた両側面外壁３，４とからなる大型外壁１が、建物本体の上下に延在して設けられており、前記大型外壁１の左右における前記前面外壁２より奥まった位置に、前記両側面外壁３，４に接続され、各々壁面に窓を有する外壁５．６が前記前面外壁２と平行に設けられており、前記大型外壁１の少なくとも一方の側面外壁３には、地窓１３又は窓１６が設けられていることを特徴とする建物。
【発明の詳細な説明】
【技術分野】
【０００１】
本発明は、大型外壁を備えた建物に関する。
【背景技術】
【０００２】
一般的に住宅等の建物においては、南側や東側に面する外壁に大きな窓を設けたり、窓を多数設けたりして、建物内へ十分に採光できるようにしている。
【特許文献１】特開２００４−３３２２００号公報
【発明の開示】
【発明が解決しようとする課題】
【０００３】
ところが、建物の南側や東側の外壁に集中して、大きな窓を設けたり、窓を多数設けたりすると、南側や東側の外壁の強度が低下する（壁量が少なくなる）ため、その分、それ以外に面する外壁の窓を小さくしたり、窓の数を少なくするなどの対策を講じている。
一方、建物内において、南側や東側に面する居室は家族団欒の場としての居間として使用される場合が多いが、この場合日中は、居間に設置された大型テレビや大型モニタに、光が差し込んで映像が見難くなるという不満がある。
【０００４】
本発明は上記事情に鑑みてなされたもので、南側や東側などに面する外壁に大きな窓を設けたり、窓を多数設けたりしても、外壁として所定の強度を保持でき、かつ、その外壁に面する居室に設置された大型テレビや大型モニタの映像が見易い建物を提供することを課題としている。
【課題を解決するための手段】
【０００５】
本願発明は、建物本体の正面、背面、両側面のうちの少なくとも一面を構成する外壁の左右略中央部の居室１０，１８部分に、開口部のない前面外壁２を有し、当該前面外壁２は内側に内壁２aを備えた二重壁構造になっており、この前面外壁２の両側部に設けられた両側面外壁３，４とからなる大型外壁１が、建物本体の上下に延在して設けられており、前記大型外壁１の左右における前記前面外壁２より奥まった位置に、前記両側面外壁３，４に接続され、各々壁面に窓を有する外壁５．６が前記前面外壁２と平行に設けられており、前記大型外壁１の少なくとも一方の側面外壁３には、地窓１３又は窓１６が設けられていることを特徴とする。
【０００６】
請求項１に記載の発明によれば、建物本体の正面、背面、両側面のうちの少なくとも一面を構成する外壁の左右略中央部に大型外壁１が設けられており、この大型外壁１はその前面外壁２には開口がなく、かつ前面外壁２の両側部に両側面外壁３，４を備えたものであるので、外壁に大きな窓を設けたり、窓を多数設けたりしても、外壁として所定の強度を保持できる。また、大型外壁１の前面外壁２によって日光の差込みを防止できるので、該前面外壁２に面する居室１０に大型テレビや大型モニタを設置した場合に、この大型テレビや大型モニタに光が差し込むことがなく、よって映像が見易くなる。
【０００７】
請求項２に記載の発明は、例えば図３および図６に示すように、請求項１に記載の建物において、
前記大型外壁１の前面外壁２の内壁面には、大型ディスプレイ１１が取り付けられていることを特徴とする。
【０００８】
請求項２に記載の発明によれば、前面外壁２の内壁面に、大型ディスプレイ１１が取り付けられているので、この大型ディスプレイ１１には、前面外壁２側から光が直接差し込むことがなく、映像が非常に見易くなる。また、前面外壁２には窓等の開口部がないので、前面外壁２の内壁面の所望の位置に大型ディスプレイ１１を取り付けることができる。
【０００９】
請求項３に記載の発明は、請求項２に記載の建物において、
前記大型外壁１の少なくとも一方の側面外壁３には、地窓１３が設けられていることを特徴とする。
【００１０】
請求項３に記載の発明によれば、少なくとも一方の側面外壁３に地窓１３が設けられているので、比較的暗くなりがちな、前面外壁２の内側を、大型ディスプレイ１１の光による見難さを解消しつつ地窓１３からの日光によってある程度明るくすることができる。
【００１１】
請求項４に記載の発明は、例えば図４および図５に示すように、請求項１に記載の建物において、
前記大型外壁１の前面外壁２の内壁面には、所定の階（例えば２階）において棚１５がほぼ前記内壁面の全体に設けられていることを特徴とする。
【００１２】
請求項４に記載の発明によれば、前面外壁２の内壁面に所定の階において棚１５がほぼ前記内壁面の全体に設けられているので、開口部のない前面外壁２を有効に利用できるとともに、この棚１５には前面外壁２側から日光が直接差し込まないので、物品の保存に適している。
【００１３】
請求項５に記載の発明は、請求項４に記載の建物において、
前記大型外壁１の少なくとも一方の側面外壁３には、窓１６，１７が設けられていることを特徴とする。
【００１４】
請求項５に記載の発明によれば、一方の側面外壁３に窓１６，１７が設けられているので、棚１５の付近を窓からの日光によって明るくすることができる。
【発明の効果】
【００１５】
本発明によれば、建物本体の正面、背面、両側面のうちの少なくとも一面を構成する外壁の左右略中央部に、開口部のない前面外壁と、この前面外壁の両側部に設けられた両側面外壁とからなる大型外壁が、建物本体の上下に延在して設けられているので、外壁に大きな窓を設けたり、窓を多数設けたりしても、外壁として所定の強度を保持できる。また、大型外壁の前面壁によって日光の差込みを防止できるので、該大型外壁に面する居室に大型テレビや大型モニタを設置した場合に、この大型テレビや大型モニタに光が差し込むことがなく、よって映像が見易くなる。
【発明を実施するための最良の形態】
【００１６】
以下図面を参照して本発明の実施の形態について説明する。
図１は本発明に係る建物の正面図、図２は斜視図である。本実施の形態の建物は、２．５階建ての住宅であり、２階の上に、２階床より半階高いスキップ床が設けられてなるものである。
【００１７】
図１および図２に示すうように、建物の正面の左右略中央部には、大型外壁１が建物本体の上下に延在して設けられている。この大型外壁１は、開口部のない前面外壁２と、この前面外壁２の右側部に設けられた側面外壁３と、前面外壁２の左側部に設けられた側面外壁４とを備えてなるもので、側面外壁３は側面外壁４に比べて、平断面視において、長くなっている。側面外壁３は１階においては、玄関ポーチ１４の奥側端部まで延在しており、２階においては建物の奥行き方向略中央部まで延在している。
また、建物の正面には前記大型外壁１の左側に、大型外壁１の前面外壁２より、若干奥まった位置に外壁５が設けられており、この外壁５は前記側面外壁４に接続されている。
【００１８】
さらに、建物の正面には前記大型外壁１の右側に、前面外壁２より奥まった位置に外壁６が設けられており、この外壁６は前記側面外壁３に接続されている。
また、建物の正面には、前記大型外壁１と所定間隔を隔てて、外壁７が設けられている。この外壁７は、前記前面外壁２より若干前方に突出しており、その右側部にはルーバ８ａが上下に延在して設けられている。このルーバ８ａの内側に位置する外壁面には、窓が上下に所定間隔で設けられている。ルーバ８ａは、幅の狭い横長の板を多数上下方向に一定の間隔で配置してなるものであり、上下に隣り合う横長の板間から通風や採光を確保できる一方で、外部からの視線を遮断できるようになっている。
また、外壁７の左側部には、前記側面外壁３と平行に配置された側面外壁９が接続されており、この側面外壁９は前記外壁６に接続されている。
なお、建物の正面左側部には、上下に延在するルーバ８ｂが設けられており、このルーバ８ａの内側に位置する外壁面には、窓が上下に所定間隔で設けられている。また、前記前面外壁２の左側にはルーバ８ｃが設けられており、右側にはルーバ８ｄが設けられている。なお、図２においては、側面外壁３を見せるために、ルーバ８ｄを省略している。
【００１９】
図３〜図５に示すように、前記大型外壁１の前面外壁２は、内側に内壁２ａを備えた二重壁構造になっており、この内壁２ａに、図３および図６に示すように、建物の１階の居室１０において、大型ディスプレイ１１が取り付けられている。内壁２ａの上部前方には、図６に示すように、下り壁２ｂが設けられている。この下り壁２ｂは内壁２ａより居室１０の内側に位置しており、天井から垂下して、その下端部は大型ディスプレイ１１の上縁部より若干上方に位置している。
大型ディスプレイ１１は液晶画面を備えた板状のものであり、テレビチューナを備えている。大型ディスプレイ１１の下方には、左右に長尺な棚１２が設けられており、この棚１１は内壁２ａまたは前面外壁２に支持固定されている。
【００２０】
また、前記側面外壁３の下端部には、１階において、地窓１３が設けられている。この地窓１３の下端部は１階の床面とほぼ等しい位置にあり、上端部は前記下り壁２ｂの下端部とほぼ等しい位置にある。地窓１３が設けられた開口部には、矩形枠状の框材の内部に桟材を縦横に組みつけてなる面格子が設けられている。地窓１３は１階の玄関ポーチ１４に面している。
【００２１】
また、前記前面外壁２の内壁２ａには、２階において、書棚（棚）１５がほぼ内壁面の全体に設けられている。また、書棚１５の左右側部はそれぞれ前記側面外壁３，４の内壁面に固定されている。
また、前記側面外壁３には、２階において、掃出し窓１６が設けられており、この掃出し窓１６の上方には高窓１７が設けられている。
側面外壁３と外壁６と側面外壁９とで囲まれた部分は、ルーフバルコニー１７となっており、このルーフバルコニー１７には、居室１８からは掃出し窓１６を通して出入りできるようになっている。
【００２２】
本実施の形態によれば、建物本体の正面を構成する外壁の左右略中央部に大型外壁１が設けられており、この大型外壁１はその前面外壁２には開口がなく、かつ前面外壁２の両側部に両側面外壁３，４を備えたものであるので、外壁（建物正面の外壁全体）に大きな窓を設けたり、窓を多数設けたりしても、外壁として所定の強度を保持できる。また、大型外壁１によって日光の差込みを防止できるので、該大型外壁１に面する居室１０に大型テレビや大型モニタを設置した場合に、この大型テレビや大型モニタに光が差し込むことがなく、よって映像が見易くなる。
また、大型外壁１の前面外壁２の内壁面に、大型ディスプレイ１１が取り付けられているので、この大型ディスプレイ１１には、前面外壁２側から光が直接差し込むことがなく、映像が非常に見易くなる。また、前面外壁１には窓等の開口部がないので、前面外壁１の内壁面の所望の位置に大型ディスプレイ１１を取り付けることができる。
【００２３】
さらに、大型外壁の側面外壁３に、地窓１３が設けられているので、比較的暗くなりがちな、前面外壁２の内側を、大型ディスプレイ１１の光による見難さを解消しつつ地窓１３からの日光によってある程度明るくすることができる。また、地窓１３が設けられた開口部には面格子が設けられているので、地窓１３からの光を和らげることができる。
また、大型外壁１の前面外壁２の内壁面には、２階において書棚１５がほぼ内壁面の全体に設けられているので、開口部のない前面外壁１を有効に利用できるとともに、この書棚１５には前面外壁２側から日光が直接差し込まないので、書籍等の物品の保存に適している。
また、側面外壁３には、２階において掃出し窓１６が設けられているので、書棚１５への日光の直接の差込みを防止しつつ、書棚の付近を掃出し窓１６やその上の高窓１７からの日光によって明るくすることができる。
【図面の簡単な説明】
【００２４】
【図１】本発明に係る建物の一例を示すもので、建物の正面図である。
【図２】同、建物の斜視図である。
【図３】同、建物の１階の平面図である。
【図４】同、建物の２階の平面図である。
【図５】同、建物の２．５階の平面図である。
【図６】同、前面外壁の内壁面を居室側から見た要部の斜視図である。
【符号の説明】
【００２５】
１  大型外壁
２  前面外壁
３，４  側面外壁
１１  大型ディスプレイ
１３  地窓
１５  書棚（棚）
１６  掃出し窓（窓）
【図１】
0005641672.tif 000002
【図２】
0005641672.tif 000003
【図３】
0005641672.tif 000004
【図４】
0005641672.tif 000005
【図５】
0005641672.tif 000006
【図６】
0005641672.tif 000007